(57)【要約】【課題】  継手部において、回転防止機能を備えると共に両管が容易に離脱しない機能を併せ備えると共に、従来技術のものより、一層低廉化、小形化が可能な回転防止具とこれを備えた管継手構造を提供する。【解決手段】  管継手を構成する受口管１と挿口管２の夫々の外周部に外嵌可能であって、互いに円周方向端部どうしを嵌合して接続可能になっている複数の略同形をした組み合わせ部材で構成されており、受口管１の端部開口面１ｂに接当する接当面を備えると共に締結具５を固着可能な締結具支持部を有する本体部４と、この本体部４の締結具支持部を介して、本体部４を受口管１と挿口管２とに固定して、受口管１と挿口管２との相対回転を防止可能にする締結具５とを有する回転防止具。【選択図】図１
2005201359.tif 000002
【特許請求の範囲】
【請求項１】
管継手を構成する受口管と挿口管の夫々の外周部に外嵌可能であって、互いに円周方向端部どうしを嵌合して接続可能になっている複数の略同形をした組み合わせ部材で構成されており、前記受口管の端部開口面に接当する接当面を備えると共に締結具を固着可能な締結具支持部を有する本体部と、この本体部の前記締結具支持部を介して、前記本体部を前記受口管と挿口管とに固定して、前記受口管と挿口管との相対回転を防止可能にする締結具とを有する回転防止具。
【請求項２】
前記本体部が半円弧状の内周面を有する一対の組み合わせ部材からなると共に、前記本体部の締結具支持部が夫々の中央箇所と円周方向両端部箇所に設けられていて、これら一対の組み合わせ部材の円周方向両端部箇所どうしを互いに嵌合させ、共通の前記締結具を用いて一対の組み合わせ部材どうしを接続すると共に、前記受口管と挿口管とに固定できるようになっている請求項１の回転防止具。
【請求項３】
前記本体部の締結具支持部の一方の内周側に凹部が形成されていると共に、前記本体部の締結具支持部の他方の外周側に前記凹部と嵌合する凸部が形成されている請求項１又は２の回転防止具。
【請求項４】
受口管と、その一端側の開口部に挿入される挿口管と、前記受口管の内周面と前記挿口管の外周面との間隙に挿入されるシール材とを備え、前記受口管と挿口管の外周面の夫々に、請求項１〜３のいずれか１の回転防止具が外嵌されて固定されている管継手構造。
【発明の詳細な説明】
【技術分野】
【０００１】
本発明は回転防止具とこれを備えた管継手構造に関し、詳しくは、管継手を構成する受口管と挿口管の夫々の外周部に外嵌可能である組み合わせ部材で構成された回転防止具とこれを備えた管継手構造に関する。
【背景技術】
【０００２】
この種の管継手構造としては、従来、水道管などの配管の受口管部とこれに挿入された挿口管部との端部間において、挿口管部の外周面に押輪が外挿されていると共に、受口管部に挿入された挿口管部の外周面と受口管の内周面との間隙に、ゴム製のパッキンが挿入されていて、このパッキンが押輪に押圧されるようになっているものがある。そして、この押圧状態を維持すべく、押輪と受口管とがボルトとナットにより固着締結されると共に、挿口管部の外周面に食い込み可能な、くさび状をした抜け止め防止部材が押輪の内周面側に挿入されて構成されている（特許文献１）。
【０００３】
かかる構造を有することにより、管継手に大きな外力が作用したとしても、容易に両管が離脱しないようになっていることに加えて、回転防止機能をも併せて備えることになる。そのため、この管継手を備えた配管途中に空気弁や消火栓を取り付ける際、配管姿勢を固定して作業することができるので、特別な回転防止装置を使用する必要がなく、そのための工事も不要となり、高い作業性を維持しつつ、工事費を安価にできる。
【０００４】
しかし、この構造のものは部品点数が多く、のみならず個々の部品の製造も切削加工を要する等、必ずしも安価に製造できるわけではなく、そのため、本発明者は、より製造コストの低い部品で構成された管継手の離脱防止装置の発明をした。
【０００５】
この管継手の離脱防止構造を図８に示す。この管継手の離脱防止構造は、受口管部６１に挿口管部６２の一端部を挿入し、挿口管部６２の外周面６２ａと受口管部６１内周面にパッキン６３を外嵌すると共に、このパッキン６３を押輪６４により押圧して継手部のシールを行うようになっている。
【０００６】
そして、受口管部６１と押輪６４とは、受口管部６１のフランジ部６１ａに形成されたボルト挿通孔と、押輪６４のフランジ部６４ａに形成されたネジ孔を介して、Ｔ字状ボルト６５とナット６６の組み合わせからなる締結具を装着することにより、互いに連結される。
【０００７】
加えて、挿口管部６２の外周面６２ａと押輪６４の内周面との間に嵌入される抜止部材６８の内側面に、挿口管部６２の外周面６２ａに喰い込み可能な喰込み突起部を形成すると共に、抜止部材６８に、挿口管部６２の外周面６２ａに喰い込み可能な突起部を形成した廻り止め部材６９を装着し、これら抜止部材６８と廻り止め部材６９とを押しボルト６７により押圧することにより、抜け止めと廻り止めとを達成するようにしている（特許文献２）。
【特許文献１】特開平７−２８０１４７公報（特許請求の範囲、図１等の記載）
【特許文献２】特開２００１−１７３８５３公報（［００１２］、図１、図４等の記載）
【発明の開示】
【発明が解決しようとする課題】
【０００８】
しかしながら、上記従来技術の管継手の離脱防止構造は、受口管部とこれに挿入された挿口管部との端部構造は、個々の構成部品を共用することができないこともあって、構成部品の製造コストは未だ安価ではなく、より製造コストの低い部品の要求に対処するには十分でなく、のみならずその軸芯方向での長さが長いため、管継手の近傍の位置で空気弁や消火栓を取り付けたいとの要請には十分に対処できないという問題がある。この種装置には、最近特に、より低廉化、より小形化の要請が強く、更なる改良が要請されていた。
【０００９】
本発明の解決しようとする課題は、上記従来技術の有する問題点に鑑みて、継手部において、回転防止機能を備えると共に両管が容易に離脱しない機能を併せ備えると共に、従来技術のものより、一層低廉化、小形化が可能な回転防止具とこれを備えた管継手構造を提供することにある。
【課題を解決するための手段】
【００１０】
上記課題は請求項記載の発明により達成される。すなわち、本発明に係る回転防止具の特徴構成は、管継手を構成する受口管と挿口管の夫々の外周部に外嵌可能であって、互いに円周方向端部どうしを嵌合して接続可能になっている複数の略同形をした組み合わせ部材で構成されており、前記受口管の端部開口面に接当する接当面を備えると共に締結具を固着可能な締結具支持部を有する本体部と、この本体部の前記締結具支持部を介して、前記本体部を前記受口管と挿口管とに固定して、前記受口管と挿口管との相対回転を防止可能にする締結具とを有することにある。
【００１１】
この構成によれば、互いに略同形をした組み合わせ部材から構成されているため、製造する部品点数を少なくできると共に、従来技術のように、受口管と押輪とを締結する締結具は不要となる等、使用する部品点数も少なくて済み、製造コストを低減可能であると共に、本体部の接当面が受口管の端部開口面に接当して、両者が固定されるため、管継手部に装着された場合には、軸芯方向での長さを短くできて全体をコンパクトに構成でき、管継手近傍で空気弁や消火栓を取り付ける場合にも容易に取り付けることができるだけでなく、作業自体も行い易くなる。しかも、本発明の回転防止具は、管継手構造を構成する受口管と挿口管とに装着され固定されるので、回転防止機能を発揮し得ると共に、抜け止め防止機能をも併せて有することになる。
【００１２】
その結果、継手部において、回転防止機能を備えると共に両管が容易に離脱しない機能を併せ備えると共に、従来技術のものより、一層低廉化、小形化が可能な回転防止具を提供することができた。
【００１３】
前記本体部が半円弧状の内周面を有する一対の組み合わせ部材からなると共に、前記本体部の締結具支持部が夫々の中央箇所と円周方向両端部箇所に設けられていて、これら一対の組み合わせ部材の円周方向両端部箇所どうしを互いに嵌合させ、共通の前記締結具を用いて一対の組み合わせ部材どうしを接続すると共に、前記受口管と挿口管とに固定できるようになっていることが好ましい。
【００１４】
この構成によれば、本体部の中央箇所に設けられている締結具支持部と、円周方向両端部箇所に設けられている締結具支持部とが、共通の締結具により夫々受口管と挿口管の外周面に強固に固定されて都合がよい。
【００１５】
前記本体部の締結具支持部の一方の内周側に凹部が形成されていると共に、前記本体部の締結具支持部の他方の外周側に前記凹部と嵌合する凸部が形成されていることが好ましい。
【００１６】
この構成によれば、本体部の締結具支持部どうしを組み合わせた際に、確実かつ堅固に接続でき、効果的に廻り止めを確保することができる。
【００１７】
また、本発明に係る管継手構造の特徴構成は、受口管と、その一端側の開口部に挿入される挿口管と、前記受口管の内周面と前記挿口管の外周面との間隙に挿入されるシール材とを備え、前記受口管と挿口管の外周面の夫々に、請求項１〜３のいずれか１の回転防止具が外嵌されて固定されていることにある。
【００１８】
この構成によれば、継手部において、回転防止機能を備えると共に両管が容易に離脱しない機能を併せ備えると共に、従来技術のものより、一層低廉化、小形化が可能な回転防止具を備えた管継手構造を提供することができる。
【発明を実施するための最良の形態】
【００１９】
本発明の実施形態を、図面を参照して詳細に説明する。図１は、本実施形態に係る回転防止具を備えた、鋳鉄製、鋼製あるいは樹脂製の管継手構造の半横断面構造を示し、図２はその縦断面構造を示す。
【００２０】
この管継手構造は、挿口管２の一端側が管軸芯Ｘに沿って受口管１に挿入されていると共に、挿口管２の外周面２ａに、一部切欠き箇所を有する略Ｃ字状をした抜止用のロックリングＲと、その後端側に円環状をしたシール材であるゴム製パッキン３が外嵌されている。このパッキン３により、管内を流通する水道水や都市ガスなど流体が配管外に漏れるのを防止する。
【００２１】
更に、受口管１の一端部側の外周面１ａと挿口管２の外周面２ａに、回転防止具Ｇが外嵌されている。また、挿口管２の挿入方向側先端は、大きな外力が作用した場合に備えて、ロックリングＲと接当して抜け止め機能を発揮するように突起２ｂが設けられている。回転防止具の詳細について、次に説明する。
【００２２】
この回転防止具Ｇは、受口管１の一端部側の外周面１ａと挿口管２の外周面２ａに対して、上下方向からその外周面に外嵌可能になっている同形の一対の組み合わせ部材である本体部４Ａ，４Ｂと、これら一対の本体部４Ａ，４Ｂを受口管１の外周面１ａと挿口管２の外周面２ａとに締めつけ固着するボルト５（締結具に相当）とを備えて構成されている。本体部４Ａ，４Ｂとは、図２に示すように、互いにその円周方向端部どうしが、管軸芯方向からスライドさせて嵌め合い式に固定されるようになっており、互いに嵌合されると、外周側に位置するボルト挿通孔と内周側に位置するネジ孔との双方の孔が同軸芯となって一致する。
【００２３】
一対からなる本体部４Ａ，４Ｂの内、その一方の本体部４Ａを図３〜５に示す。図３にはその正面構造を、図４、５には図３の本体部４Ａの左右側面方向からの構造を表す。この本体部４Ａは、図３〜５に示すように、内側にボルト挿通孔４ａ’又はネジ孔４ａが形成された３箇所の締結具支持部４Ｌ，４Ｃ，４Ｒと、これら締結具支持部の内、左側の円周方向端部箇所の締結具支持部４Ｌと中央箇所の締結具支持部４Ｃ、中央箇所の締結具支持部４Ｃと右側の円周方向端部箇所の締結具支持部４Ｒどうしを接続するアーム部４ｂとを有していて、アーム部４ｂはその中心箇所４ｂ１が薄肉に構成されている。
【００２４】
一対の本体部４Ａ，４Ｂが、管継手部において受口管１と挿口管２の外周部に外嵌される際には、受口管１に対向する各締結具支持部４Ｌ，４Ｃ，４Ｒの接当面４Ｌ１，４Ｃ１，４Ｒ１が受口管１の端部開口面１ｂと接当可能になっていて、この構成により、従来技術のこの種管継手構造に比べて、軸芯方向での長さを確実に短くできることになる。
【００２５】
そして、左右の締結具支持部４Ｌ，４Ｒが、図１、２に示すように、互いに嵌合可能になっていると共に、嵌合時にはボルト挿通孔４ａ’とネジ孔４ａとが同一軸に並ぶようになっているため、ボルト５により、受口管１の一端部側の外周面１ａと挿口管２とに互いに螺着・接続され、固定される。つまり、本体部４Ａ，４Ｂとを受口管１と挿口管２の外周部に外嵌する際に、図６に示すように、左側締結具支持部４Ｌに形成されているボルト挿通孔４ａ’の内周側の凹部４Ｌ２と、右側締結具支持部４Ｒに形成されているネジ孔４ａの外周側の凸部４Ｒ２とが、互いに嵌合することにより廻り止めされるようになる。その結果、受口管１と挿口管２とから構成される管継手構造において、確実に回転防止がなされると共に、抜け止めをも兼ね備えた構造となる。
【００２６】
回転防止具Ｇは、このように２つ割り形状となっているため、管継手に装着する際にも、継手を解除することなく装着することができるので、現場での取り付け作業において調整がし易く、取り付け位置の修正も容易であるのみならず、既存の管継手構造の近傍に空気弁などを取り付ける際にも、容易に行うことができる等、作業性の優れる構造となっている。しかも、２つ割り形状をなす一対の本体部４Ａ，４Ｂは互いに同形であるため、別々の部品として製造する必要がなく、製造コストを低減できると共に、従来技術のように、受口管と押輪とを締結する締結具は不要となる等、部品点数は少なくて済む。
〔別実施の形態〕
（１）上記実施形態では、本体部４Ａ，４Ｂの締結具支持部４Ｌ，４Ｃ，４Ｒのいずれにも接当面４Ｌ１，４Ｃ１，４Ｒ１を備える例を示したが、接当面は、中央の締結具支持部４Ｃにのみ形成されていてもよい。
（２）上記実施形態では、本体部４Ａ，４Ｂの廻り止めを行うのに、左側締結具支持部４Ｌに形成されているボルト挿通孔４ａ’の内周側の凹部４Ｌ２と、右側締結具支持部４Ｒに形成されているネジ孔４ａの外周側の凸部４Ｒ２とが、互いに嵌合することによる例を示したが、これに代えて、図７に示すように、ボルト挿通孔４ａ’の凹部４Ｌ２と右側締結具支持部４Ｒの凸部４Ｒ２を設けることなく、一方の本体部４Ａ円周方向端部４Ａ１と他方の本体部４Ｂの左側締結具支持部４Ｌの内側接当面４Ｌ３とを接当させる、又は締結具５とボルト挿通孔４ａ’とが接当させるようにして廻り止めを構成してもよい。
（３）上記実施形態では、本体部４Ａ，４Ｂの締結具支持部４Ｌ，４Ｃ，４Ｒの３箇所を形成した例を示したが、その数はこれに限定されるものではなく、更に多くしてもよく、特に大径管の管継手構造には４箇所以上の締結具支持部を本体部に設けるようにしてもよい。
（４）上記実施形態では、受口管１、挿口管２共に直管構造のものの例を示したが、受口管１、挿口管と共に配管途中から径の異なる構成の異形管であってもよい。
【図面の簡単な説明】
【００２７】
【図１】本発明に係る管継手構造の半横断面図
【図２】図１の管継手構造の縦断面図
【図３】回転防止具を構成する本体部の一方の正面図
【図４】図３の本体部の左側面図
【図５】図３の本体部の右側面図
【図６】互いに嵌合した本体部の廻り止め機構を説明する要部拡大断面図
【図７】互いに嵌合した本体部の廻り止め機構の変形例を説明する要部拡大断面図
【図８】従来技術の管継手構造の横断面図
【符号の説明】
【００２８】
１                受口管
１ｂ              受口管の端部開口面
２                挿口管
３                シール材
４                本体部
４Ｌ，４Ｃ，４Ｒ  締結具支持部
５                締結具
【図１】
2005201359.tif 000003
【図２】
2005201359.tif 000004
【図３】
2005201359.tif 000005
【図４】
2005201359.tif 000006
【図５】
2005201359.tif 000007
【図６】
2005201359.tif 000008
【図７】
2005201359.tif 000009
【図８】
2005201359.tif 000010